(57)【要約】  前縁と後縁とを結ぶ中心線に沿う翼略中央部に、翼腹側と翼背側とに仕切る板状のリブが設けられ、背側と腹側のキャビティが連通しない少なくとも２以上のキャビティが設けられたタービン用翼において、翼背側のキャビティに流入する冷却空気の圧力損失部材により、翼腹側に比べて翼背側に流入する冷却空気量を減量することを特徴とするタービン用翼。
2009017015.tif 000002
【特許請求の範囲】
【請求項１】
前縁と後縁とを結ぶ中心線に沿って翼腹側と翼背側とに仕切る板状のリブが、前縁と後縁の間に設けられ、背側と腹側のキャビティが連通しない少なくとも２以上のキャビティが設けられたタービン用翼において、翼背側のキャビティに流出入する冷却空気の圧力損失部材を有しており、翼腹側に比べて翼背側から流出する冷却空気量が少ないことを特徴とするタービン用翼。
【請求項２】
前記圧力損失部材が、キャビティに流入する冷却空気の上流に位置するインピンジメント板であることを特徴とする請求項１記載のタービン用翼。
【請求項３】
前記圧力損失部材が、キャビティより流出する冷却空気の下流に位置するインピンジメント板であることを特徴とする請求項１記載のタービン用翼。
【請求項４】
前記圧力損失部材が、キャビティより流出する冷却空気の上流と下流に位置する２枚のインピンジメント板であることを特徴とする請求項１記載のタービン用翼。
【請求項５】
請求項１から４のいずれか一項に記載のタービン用翼を備えてなることを特徴とするガスタービン。
【請求項６】
各段のインピンジメント孔の径が異なることを特徴とする請求項５記載のガスタービン。
【発明の詳細な説明】
【技術分野】
【０００１】
本発明は、ガスタービンに関し、より詳しくは、ガスタービンのタービン用翼（動翼・静翼）に関するものである。
【背景技術】
【０００２】
ガスタービンのタービン部におけるタービン用翼（静翼）としては、例えば、特許文献１に開示されたものが知られている。
【特許文献１】特開２００１−２５４６０５号公報  また、ガスタービン用翼において、翼の腹側のフィルム冷却専用の流体通路をもつことも特許文献２に開示されている。
【特許文献２】特公昭６２-２４６０６  さらに、ガスタービンの翼面における熱負荷に応じた詳細な冷却構造とすることも特許文献３に開示されたものも知られている。
【特許文献３】特開２００２-２４２６０７
【発明の開示】
【０００３】
しかしながら、上記特許文献１に開示されたタービン用翼では、ガスタービン用翼の運転時の環境が、翼本体の背側（凸部側）表面の雰囲気圧力は翼腹側（凹部側）表面の圧力に比べ低いためインサート内に導入された冷却空気は圧力の低い背側に多く流れる。このため翼腹側冷却のための冷却空気の最低必要流量を確保するには投入する冷却空気流量を増やす必要がある。すると翼本体の背側に必要以上の冷却空気が流れ無駄な冷却空気が燃焼ガスと混ざりタービンを回転させるガスの温度を下げるため、タービン効率を低下させるという問題があった。
また、翼本体の背側内部のインピンジメント板の孔径またはフィルム冷却孔の孔径を小さくすれば無駄な空気が少なくなるとも考えられるが、加工が難しくなる問題があり、ごみによる孔詰まりの問題もあった。さらに、背側のインピンジメント板の孔径は腹側と同じで孔数を少なくすることも考えられるが、均一冷却が難しくなるという問題があった。
また、特許文献２に開示されているような構造では、タービン翼の肉薄化には対応が不可能であり、かえって冷却効果を下げていた。
さらに、特許文献３に開示されているような構造では、翼の構造が複雑になりタービン価格の上昇の原因となっていた。
【０００４】
本発明は、上記の事情に鑑みてなされたもので、翼本体の背側（凸部側）に流れる無駄な冷却空気をなくし、使用する冷却空気（冷却媒体）量を低減させることができ、さらに翼の肉薄化にも効果的に対応でき、経済的にも効果を有する特に1500℃以上の高温燃焼タービンにも適用可能なタービン用翼を提供することを目的とする。
【０００５】
本発明は、上記課題を解決するため、以下の手段を採用した。
本発明に係るタービン用翼は、複数個のフィルム冷却孔が設けられ、かつ、前縁と後縁とを結ぶ中心線に沿って翼腹側と背側に仕切る板状のリブが前縁と後縁との間に設けられ、背側と腹側のキャビティが連通しない少なくとも２つ以上のキャビティが設けられた翼本体と、前記キャビティ内に、自身の外周面と前記翼本体の内周面との間に冷却空間を形成するように配置され、かつ、圧力調整部材としての機能を有する複数個のインピンジメント冷却孔が設けられた第１のインピンジメント板および／またはシュラウド内部の第２のインピンジメント板とにより、翼背側のキャビティに流出入する冷却空気圧力を翼腹側の冷却空気圧力より低くする手法を採用し、翼本体の背側（凸部側）に流れる無駄な冷却空気を少なくし、全体として使用する冷却空気（冷却媒体）量を低減させ、低減させた空気量を更なる出力増加を目的とする燃料ガスの燃焼用に用いた。
【０００６】
本発明に係るタービン用翼によれば、圧力調整部材としての機能を有する第１および第２のインピンジメント板により、キャビティ内の空間を翼本体の腹側（凹部側）から背側（凸部側）に流れようとする冷却空気の流路抵抗が増え、背側に流れる冷却空気（冷却媒体）が少なくなり、使用する冷却空気量が低減することとなる。
また、本発明に係るタービン用翼によれば、圧力の低く、かつ、流速の遅い冷却空気が、例えば、中央部に位置するキャビティの背側に形成されたフィルム冷却孔から吹き出され、翼本体の背側の外壁面に沿って、持続性の高い冷却空気による膜が均一に形成されることとなる。
これにより、燃焼ガス（高温ガス）から翼本体の表面（より詳しくは、翼本体の背側の外壁面）への熱伝達がより低減され、フィルム冷却効率が向上することとなる。
【０００７】
上記タービン用翼において、前記キャビティ内の空間を、前記中心線に沿って腹側と背側とに仕切る板状の第２のリブが設けられており、また連通させていないので、運転中の腹側のキャビティ内圧力変動が背側のキャビティ内圧力に影響を与えないので効果は大きい。さらに第２のリブは、翼の軽量化および冷却効果向上を目的とした薄肉化による強度低下を補うことができるという効果を持っている。
【０００８】
このようなタービン用翼によれば、キャビティ内の空間を翼本体の腹側キャビティから背側のキャビティに流れようとする冷却空気はなく、翼背側に流れる冷却空気が最適量となり、結果としてタービンの運転に使用する冷却空気量が低減することとなる。
【０００９】
上記タービン用翼において、複数個のインピンジメント冷却孔を有するとともに、前記第２のリブの背側に位置する空間の上流側に配置された第２のインピンジメント板とを備え、前記第２のインピンジメント板に形成されたインピンジメント冷却孔を通過した冷却媒体が、前記第２のリブの背側に位置する空間内に導入されるように構成されているとさらに好適である。
【００１０】
このようなタービン用翼によれば、第２のインピンジメント板に向かって供給された（吹き出された）冷却空気は、第２のインピンジメント板をインピンジメント冷却した後、第２のインピンジメント板に形成されたインピンジメント冷却孔を通過して、例えば、図２および図３に示すような、第２のインピンジメント板の内壁面と内側シュラウドの表面との間、および第２のインピンジメント板の内壁面と外側シュラウドの表面との間に形成された冷却空間内を通り、中央部に位置するキャビティの背側で、かつ、第１のリブの壁面、第２のリブの壁面、および第１のインピンジメント板の内壁面により形成された空間内に流入するようになっている。そして、キャビティの背側で、かつ、第１のリブの壁面、第２のリブの壁面、および第１のインピンジメント板の内壁面により形成された空間内に流入した冷却空気は、キャビティの背側に設けられて、翼本体の背側の内壁面に向かって開口するインピンジメント冷却孔から第１のインピンジメント板の外壁面、第１のリブの壁面、および翼本体の背側の内壁面により形成された冷却空間内に吹き出して翼本体の背側の内壁面をインピンジメント冷却した後、フィルム冷却孔から吹き出されるようになっている。
すなわち、第２のインピンジメント板をインピンジメント冷却した冷却空気は、翼本体の背側の内壁面をインピンジメント冷却するとともに、翼腹側の冷却に影響を及ぼすことなく翼本体の背側の外壁面（外周面）をフィルム冷却するのに利用されることとなる。
これにより、例えば、中央部に位置するキャビティの背側で、かつ、第１のリブの壁面、第２のリブの壁面、および第１のインピンジメント板の内壁面により形成された空間内に流入する冷却空気量を低減させることができ、全体の冷却空気量（冷却空気の消費量）を低減させることができるとともに、翼の冷却に寄与しない温度の低い冷却空気がフィルム冷却孔から吹き出されるのを防止することができる。
【００１１】
また、本発明の別の態様に係るタービン用翼は、複数個のフィルム冷却孔が設けられ、かつ、立設方向軸線に対して略直交する断面における前縁と後縁とを結ぶ中心線に対して略直交して設けられた少なくとも１つの板状の第１のリブによって、内部に少なくとも２つのキャビティが形成された翼本体と、前記キャビティ内に、自身の外周面と前記翼本体の内周面との間に冷却空間を形成するように配置され、かつ、複数個のインピンジメント冷却孔が設けられた第１のインピンジメント板とを備えている。
【００１２】
本発明に係るタービン用翼によれば、第１のインピンジメント板により、キャビティ内の空間を翼本体の腹側（凹部側）から背側（凸部側）に流れようとする冷却空気の流路抵抗が増え、背側に流れる冷却空気（冷却媒体）が少なくなり、使用する冷却空気量が低減することとなる。
また、本発明に係るタービン用翼によれば、圧力の低く、かつ、流速の遅い冷却空気が、例えば、中央部に位置するキャビティの背側に形成されたフィルム冷却孔から吹き出され、翼本体の背側の外壁面に沿って、持続性の高い冷却空気による膜が均一に形成されることとなる。
これにより、燃焼ガス（高温ガス）から翼本体の表面（より詳しくは、翼本体の背側の外壁面）への熱伝達がより低減され、フィルム効率が向上することとなる。
【００１３】
上記タービン用翼において、前記キャビティ内の空間を、前記中心線に沿って腹側と背側とに仕切る板状の第２のリブが設けられているとさらに好適である。
【００１４】
このようなタービン用翼によれば、キャビティ内の空間を翼本体の腹側から背側に流れようとする冷却空気の流路抵抗がさらに増え、背側に流れる冷却空気がさらに少なくなり、使用する冷却空気量がさらに低減することとなる。
【００１５】
上記タービン用翼において、複数個のインピンジメント冷却孔を有するとともに、前記第２のリブの背側に位置する空間の上流側に配置された第２のインピンジメント板とを備え、前記第２のインピンジメント板に形成されたインピンジメント冷却孔を通過した冷却媒体が、前記第２のリブの背側に位置する空間内に導入されるように構成されているとさらに好適である。
【００１６】
このようなタービン用翼によれば、第２のインピンジメント板に向かって供給された（吹き出された）冷却空気は、第２のインピンジメント板をインピンジメント冷却した後、第２のインピンジメント板に形成されたインピンジメント冷却孔を通過して、例えば、図２および図３に示すような、第２のインピンジメント板の内壁面と内側シュラウドの表面との間、および第２のインピンジメント板の内壁面と外側シュラウドの表面との間に形成された冷却空間内を通り、中央部に位置するキャビティの背側で、かつ、第１のリブの壁面、第２のリブの壁面、および第１のインピンジメント板の内壁面により形成された空間内に流入するようになっている。そして、キャビティの背側で、かつ、第１のリブの壁面、第２のリブの壁面、および第１のインピンジメント板の内壁面により形成された空間内に流入した冷却空気は、キャビティの背側に設けられて、翼本体の背側の内壁面に向かって開口するインピンジメント冷却孔から第１のインピンジメント板の外壁面、第１のリブの壁面、および翼本体の背側の内壁面により形成された冷却空間内に吹き出して翼本体の背側の内壁面をインピンジメント冷却した後、フィルム冷却孔から吹き出されるようになっている。
すなわち、第２のインピンジメント板をインピンジメント冷却した冷却空気は、翼本体の背側の内壁面をインピンジメント冷却するとともに、翼本体の背側の外壁面（外周面）をフィルム冷却するのに利用されることとなる。
これにより、例えば、中央部に位置するキャビティの背側で、かつ、第１のリブの壁面、第２のリブの壁面、および第１のインピンジメント板の内壁面により形成された空間内に流入する冷却空気量を低減させることができ、全体の冷却空気量（冷却空気の消費量）を低減させることができるとともに、温度の低い冷却空気がフィルム冷却孔から吹き出されるのを防止することができる。
【００１７】
本発明に係るガスタービンは、全体の冷却空気量を低減させることができるとともに、温度の低い冷却空気が必要以上にフィルム冷却孔から吹き出されるのを防止することができるタービン用翼を備えている。
【００１８】
本発明に係るガスタービンによれば、全体の冷却空気量が低減されることとなるので、タービン前段の圧縮機からの抽気量が少なくなり燃焼用空気を燃焼器に、より多く供給できるので、ガスタービンの燃焼ガス量を増やすことができ、性能（出力）を向上させることができるとともに、フィルム冷却孔からの温度の低い冷却空気の不必要な吹き出しが防止されることとなるので、ガスタービンの熱効率を向上させることができる。
【００１９】
本発明によれば、翼本体の背側（凸部側）に流れる無駄な冷却空気を少なくし、使用する冷却空気（冷却媒体）量を低減させることができるという効果を奏する。
【図面の簡単な説明】
【００２０】
【図１】本発明に係るタービン用翼を具備したガスタービンを示す図であって、車室上半部を取り外した状態を示す概略斜視図である。
【図２】本発明の第１の実施形態に係るタービン用翼を、その前縁と後縁とを結ぶ中心線に対して略直交する面で切った要部斜視図である。
【図３】本発明の第１の実施形態に係るタービン用翼を、その前縁と後縁とを結ぶ中心線に対して略直交する面で切った要部断面図である。
【図４】本発明の第１の実施形態に係るタービン用翼の略中央部を、その立設方向軸線に対して略直交する面で切った要部断面図である。
【図５】本発明の第１の実施形態に係るタービン用翼の外側シュラウドを、外側から見た斜視図である。
【図６】本発明の第２の実施形態に係るタービン用翼の略中央部を、その立設方向軸線に対して略直交する面で切った要部断面図である。
【図７】本発明の第３の実施形態に係るタービン用翼を、その前縁と後縁とを結ぶ中心線に対して略直交する面で切った要部断面図である。
【符号の説明】
【００２１】
１    ガスタービン
１０    タービン用翼
１１    翼本体
１４    フィルム冷却孔
１５    リブ（第１のリブ）
１６    リブ（第２のリブ）
２４    内壁面（内周面）
３０    インピンジメント板（第１のインピンジメント板）
３３    外壁面（外周面）
３６    インピンジメント板（第２のインピンジメント板）
５０    タービン用翼
６０    タービン用翼
Ｃ１    キャビティ
Ｃ２    キャビティ
Ｃ３    キャビティ
Ｃ４    キャビティ
Ｃ５    キャビティ
Ｌ．Ｅ．前縁
Ｔ．Ｅ．後縁
【発明を実施するための最良の形態】
【００２２】
以下、本発明に係るタービン用翼の第１の実施形態について、図１から図５を参照しながら説明する。
図１は本発明に係るタービン用翼を具備したガスタービンを示す図であって、車室上半部を取り外した状態を示す概略斜視図、図２は本実施形態に係るタービン用翼を、その前縁と後縁とを結ぶ中心線に対して略直交する面で切った要部斜視図、図３は本実施形態に係るタービン用翼を、その前縁と後縁とを結ぶ中心線に対して略直交する面で切った要部断面図、図４は本実施形態に係るタービン用翼の略中央部を、その立設方向軸線に対して略直交する面で切った要部断面図、図５は本実施形態に係るタービン用翼の外側シュラウドを、外側（外周側）から見た斜視図である。【００２３】
図１に示すように、ガスタービン１は、燃焼用空気を圧縮する圧縮部２と、この圧縮部２から送られてきた高圧空気中に燃料を噴射して燃焼させ、高温燃焼ガスを発生させる燃焼部３と、この燃焼部３の下流側に位置し、燃焼部３を出た燃焼ガスにより駆動されるタービン部４とを主たる要素とするものである。【００２４】
本実施形態に係るタービン用翼１０は、例えば、タービン部４における第一段静翼に適用され得るものであり、図２および図３に示すように、翼本体１１と、内側シュラウド１２と、外側シュラウド１３とを備えている。
図４に示すように、翼本体１１には、複数個のフィルム冷却孔１４と、翼本体１１の立設方向軸線に対して略直交する断面における前縁Ｌ．Ｅ．と後縁Ｔ．Ｅ．とを結ぶ中心線（図示せず）に対して略直交して設けられ、翼本体１１の内部を複数個（本実施形態では４個）のキャビティＣ１，Ｃ２，Ｃ３，Ｃ４に区画する板状のリブ（第１のリブ）１５と、中央部に位置するキャビティ（最も前縁側に位置するキャビティＣ１および最も後縁側に位置するキャビティＣ４以外のキャビティ）Ｃ２，Ｃ３を腹側と背側に区画する（略二分する）板状のリブ（第２のリブ）１６と、最も後縁側に位置するキャビティＣ４内の冷却空気（冷却媒体）を翼本体１１の外部に導くとともに複数のピンフィン（図示せず）を有する空気孔１７とが設けられている。
なお、板状のリブ１６は、翼内部で冷却用空気が腹側より背側に移動することを阻止するので、翼背側のキャビティ内圧力と翼腹側キャビティ内圧力を異ならすことができる効果を有している。【００２５】
また、最も前縁側に位置するキャビティＣ１内には、インサート１８およびインピンジメント板１９が収められて（収容されて）おり、最も後縁側に位置するキャビティＣ４内には、インサート２０が収められて（収容されて）いる。
インサート１８，２０はそれぞれ、複数個のインピンジメント冷却孔（図示せず）が設けられた中空状のものであり、インピンジメント板１９は、複数個のインピンジメント冷却孔（図示せず）が設けられた板状のものである。【００２６】
インサート１８は、キャビティＣ１内の腹側に配置され、インピンジメント板１９は、その内壁面（内周面）２１がインサート１８の背側に位置する外壁面（外周面）２２と対向し、かつ、外壁面（外周面）２３が翼本体１１の背側に位置する内壁面２４と対向するように配置されている。
そして、インサート１８の外壁面２２と翼本体１１の腹側に位置する内壁面２４との間、インサート１８の外壁面２２とリブ１５の壁面２５との間、インサート１８の外壁面２２とインピンジメント板１９の内壁面２１との間、およびインピンジメント板１９の外壁面２３と翼本体１１の背側に位置する内壁面２４とリブ１５の壁面２５との間にはそれぞれ、冷却空間、すなわち、冷却空気の通路が形成されている。【００２７】
インサート２０はキャビティＣ４内に配置されており、インサート２０の外壁面（外周面）２６と翼本体１１の内壁面２４との間、およびインサート２０の外壁面２６とリブ１５の壁面２５との間にはそれぞれ、冷却空間、すなわち、冷却空気の通路が形成されている。【００２８】
そして、冷却空気が図示していない手段によってインサート１８，２０の内部に導入され、複数個のインピンジメント冷却孔を通って冷却空間内に吹き出して、翼本体１１の内壁面２４がインピンジメント冷却されるようになっている。
また、翼本体１１の内壁面２４をインピンジメント冷却した冷却空気は、翼本体１１の複数個のフィルム冷却孔１４から吹き出して、翼本体１１のまわりに冷却空気によるフィルム層を形成し、翼本体１１がフィルム冷却されるようになっている。
さらに、翼本体１１の後縁からは、空気孔１７を通って冷却空気が噴出され、この際にピンフィンを冷却して翼本体１１の後縁近傍が冷却されるようになっている。【００２９】
さらにまた、インサート１８の内部に導入され、翼本体１１の腹側の内壁面２４に向かって開口するインピンジメント冷却孔から冷却空間内に吹き出して翼本体１１の腹側の内壁面２４をインピンジメント冷却した冷却空気の一部が、インサート１８の外壁面２２と翼本体１１の内壁面２４との間に形成された冷却空間、およびインサート１８の外壁面２２とリブ１５の壁面２５との間に形成された冷却空間を通ってインサート１８の外壁面２２とインピンジメント板１９の内壁面２１との間に形成された冷却空間に流れ込むようになっている。そして、インサート１８の外壁面２２とインピンジメント板１９の内壁面２１との間に形成された冷却空間に流れ込んだ冷却空気は、翼本体１１の背側の内壁面２４に向かって開口するインピンジメント冷却孔から冷却空間内に吹き出して翼本体１１の背側の内壁面２４をインピンジメント冷却した後、フィルム冷却孔１４から吹き出されるようになっている。【００３０】
一方、中央部に位置するキャビティＣ２，Ｃ３にはそれぞれ、インピンジメント板３０が収められて（収容されて）いる。
インピンジメント板３０はそれぞれ、複数個のインピンジメント冷却孔（図示せず）が設けられた板状のものであり、その内壁面（内周面）３１がリブ１６の壁面３２と対向し、かつ、その外壁面（外周面）３３が翼本体１１の内壁面２４と対向するように配置されている。
そして、インピンジメント板３０の外壁面３３と翼本体１１の内壁面２４とリブ１５の壁面２５との間にはそれぞれ、冷却空間、すなわち、冷却空気の通路が形成されている。【００３１】
図２および図３に示すように、内側シュラウド１２は翼本体１１の内側（内周側）に設けられており、外側シュラウド１３は翼本体１１の外側（外周側）に設けられている。
内側シュラウド１２の表面（図２および図３において下側の面）３４および外側シュラウド１３の表面（図２および図３において上側の面）３５にはそれぞれ、インピンジメント板３６が設けられている。
インピンジメント板３６はそれぞれ、複数個のインピンジメント冷却孔（図示せず）が設けられた板状のものであり、中央部に位置するキャビティＣ２，Ｃ３の、リブ１６の壁面３２よりも背側に形成された空間（すなわち、リブ１５の壁面２５とリブ１６の壁面３２と翼本体１１の内壁面２４とで囲まれた空間）の上方または下方を覆うように配置されている。【００３２】
そして、インピンジメント板３６の内壁面３７と内側シュラウド１２の表面３４との間、およびインピンジメント板３６の内壁面３７と外側シュラウド１３の表面３５との間にはそれぞれ、冷却空間、すなわち、インピンジメント板３６に形成されたインピンジメント冷却孔を通過した冷却空気を、中央部に位置するキャビティＣ２，Ｃ３の、リブ１６の壁面３２よりも背側に形成された空間内に導く冷却空気の通路が形成されている。【００３３】
なお、中央部に位置するキャビティＣ２，Ｃ３の、リブ１６の壁面３２よりも背側に形成された空間内には、インピンジメント板３６に形成されたインピンジメント冷却孔を通過した冷却空気のみが供給され得るようになっている。
また、インピンジメント板３６をインピンジメント冷却した冷却空気は、中央部に位置するキャビティＣ２，Ｃ３の、リブ１６の壁面３２よりも背側に形成された空間内に流入し、翼本体１１の背側の内壁面２４に向かって開口するインピンジメント冷却孔から冷却空間内に吹き出して翼本体１１の背側の内壁面２４をインピンジメント冷却した後、フィルム冷却孔１４から吹き出されるようになっている。【００３４】
なお、図３に示すように、中央部に位置するキャビティＣ２（Ｃ３）の、リブ１６の壁面３２よりも背側に形成された空間（すなわち、リブ１６の壁面３２と、インピンジメント板３０の内壁面３１との間に形成された空間）の内側シュラウド１２側の入口部分には、翼本体１１の背側および腹側の内壁面２４に沿って、インピンジメント受板３８がそれぞれ固定されている。また、インピンジメント板３０の翼立設方向の熱伸び差を吸収しながら、冷却空気をシールするため、インピンジメント板３０の一端部（図３における下側の端部）は、インピンジメント受板３８に設けられた溝３８ａ内に差し込まれる構造とされ、インピンジメント板３０の一端部が溝３８ａ内をスライドすることにより、インピンジメント板３０が翼立設方向に伸縮できるようになっている。【００３５】
さらに、図５に示すように、内側シュラウド１２の表面３４（図２および図３参照）および外側シュラウド１３の表面３５（図２および図３参照）にはそれぞれ、インピンジメント板４０が設けられている。
インピンジメント板４０はそれぞれ、複数個のインピンジメント冷却孔４１が設けられた板状のものであり、翼本体１１の腹側上流側および前縁上流側の上方または下方を覆うように配置されている。【００３６】
そして、インピンジメント板４０の内壁面（図示せず）と内側シュラウド１２の表面３４との間、およびインピンジメント板４０の内壁面（図示せず）と外側シュラウド１３の表面３５との間にはそれぞれ、冷却空間、すなわち、インピンジメント板４０に形成されたインピンジメント冷却孔４１を通過した冷却空気を、側部流路４２の前縁側開口端４３に導く冷却空気の通路が形成されている。
側部流路４２は、内側シュラウド１２および外側シュラウド１３の前縁側から後縁側にかけて、その両側部に形成された冷却空気の通路であり、その後縁側開口端４４はそれぞれ、内側シュラウド１２および外側シュラウド１３の幅方向にわたって、その後縁部に形成されたヘッダ４５の対応する端部に接続されている。また、側部流路４２の内壁面には、図示しない複数の板状の突起（タービュレータ）が設けられている。【００３７】
ヘッダ４５は、側部流路４２の前縁側開口端４３から側部流路４２内に流入した冷却空気を、内側シュラウド１２および外側シュラウド１３の後縁部に形成された後縁流路４６導く冷却空気の通路である。
そして、インピンジメント板４０に形成されたインピンジメント冷却孔４１を通過した冷却空気は、側部流路４２の前縁側開口端４３から側部流路４２内に流入し、側部流路４２、ヘッダ４５、および後縁流路４６を通過した後、内側シュラウド１２および外側シュラウド１３の後縁から放出されるようになっている。このとき、内側シュラウド１２および外側シュラウド１３の前縁部、両側部、および後縁部は、冷却空気により冷却されるようになっている。【００３８】
このように構成されたタービン用翼１０において、インピンジメント板３６に向かって供給された（吹き出された）冷却空気は、インピンジメント板３６をインピンジメント冷却した後、インピンジメント板３６に形成されたインピンジメント冷却孔を通過して、インピンジメント板３６の内壁面３７と内側シュラウド１２の表面３４との間、およびインピンジメント板３６の内壁面３７と外側シュラウド１３の表面３５との間に形成された冷却空間内を通り、中央部に位置するキャビティＣ２，Ｃ３の背側で、かつ、リブ１５の壁面２５、リブ１６の壁面３２、およびインピンジメント板３０の内壁面３１により形成された空間内に流入するようになっている。そして、キャビティＣ２，Ｃ３の背側で、かつ、リブ１５の壁面２５、リブ１６の壁面３２、およびインピンジメント板３０の内壁面３１により形成された空間内に流入した冷却空気は、キャビティＣ２，Ｃ３の背側に設けられて、翼本体１１の背側の内壁面２４に向かって開口するインピンジメント冷却孔からインピンジメント板３０の外壁面３３、リブ１５の壁面２５、および翼本体１１の背側の内壁面２４により形成された冷却空間内に吹き出して翼本体１１の背側の内壁面２４をインピンジメント冷却した後、フィルム冷却孔１４から吹き出されるようになっている。【００３９】
一方、中央部に位置するキャビティＣ２，Ｃ３の腹側で、かつ、リブ１５の壁面２５、リブ１６の壁面３２、およびインピンジメント板３０の内壁面３１により形成された空間内には、図示していない手段によって冷却空気が直接導入（供給）されるようになっている。そして、キャビティＣ２，Ｃ３の腹側で、かつ、リブ１５の壁面２５、リブ１６の壁面３２、およびインピンジメント板３０の内壁面３１により形成された空間内に流入した冷却空気は、キャビティＣ２，Ｃ３の腹側に設けられて、翼本体１１の腹側の内壁面２４に向かって開口するインピンジメント冷却孔からインピンジメント板３０の外壁面３３、リブ１５の壁面２５、および翼本体１１の背側の内壁面２４により形成された冷却空間内に吹き出して翼本体１１の腹側の内壁面２４をインピンジメント冷却した後、フィルム冷却孔１４から吹き出されるようになっている。【００４０】
また、図示していない手段によってインサート１８，２０の内部に導入された冷却空気は、複数個のインピンジメント孔を通って冷却空間内に吹き出して、翼本体１１の内壁面２４がインピンジメント冷却されるようになっている。
そして、翼本体１１の内壁面２４をインピンジメント冷却した冷却空気は、翼本体１１の複数個のフィルム冷却孔１４から吹き出して、翼本体１１のまわりに冷却空気によるフィルム層を形成し、翼本体１１がフィルム冷却されるようになっている。【００４１】
さらに、本実施形態に係るタービン用翼１０では、インサート１８の内部に導入され、翼本体１１の腹側の内壁面２４に向かって開口するインピンジメント冷却孔から冷却空間内に吹き出して翼本体１１の腹側の内壁面２４をインピンジメント冷却した冷却空気の一部が、インサート１８の外壁面２２と翼本体１１の内壁面２４との間に形成された冷却空間、およびインサート１８の外壁面２２とリブ１５の壁面２５との間に形成された冷却空間を通ってインサート１８の外壁面２２とインピンジメント板１９の内壁面２１との間に形成された冷却空間に流れ込むようになっている。そして、インサート１８の外壁面２２とインピンジメント板１９の内壁面２１との間に形成された冷却空間に流れ込んだ冷却空気は、翼本体１１の背側の内壁面２１に向かって開口するインピンジメント孔から冷却空間内に吹き出して翼本体１１の背側の内壁面２４をインピンジメント冷却した後、フィルム冷却孔１４から吹き出されるようになっている。【００４２】
さらにまた、インサート２０の内部に導入され、翼本体１１の内壁面２４に向かって開口するインピンジメント冷却孔から冷却空間内に吹き出して翼本体１１の内壁面２４をインピンジメント冷却した冷却空気の一部は、インサート２０の外壁面２６と翼本体１１の内壁面２４との間に形成された冷却空間、および空気孔１７を通ってピンフィンを冷却した後、翼本体１１の後縁から吹き出されるようになっている。【００４３】
さらにまた、本実施形態に係るタービン用翼１０では、インピンジメント板４０に形成されたインピンジメント冷却孔４１を通過した冷却空気が、側部流路４２の前縁側開口端４３に向かって一様に流れ、側部流路４２の前縁側開口端４３から側部流路４２内に流入した冷却空気は、直線状の流路を有する側部流路４２およびヘッダ４５を通過した後、後縁流路４６を通って内側シュラウド１２および外側シュラウド１３の後縁から放出されるようになっている。【００４４】
本実施形態に係るタービン用翼１０によれば、インピンジメント板３６をインピンジメント冷却した冷却空気が、翼本体１１の背側の内壁面２４をインピンジメント冷却するとともに、翼本体１１の背側の外壁面（外周面）をフィルム冷却するのに利用されることとなる。
これにより、中央部に位置するキャビティＣ２，Ｃ３の背側で、かつ、リブ１５の壁面２５、リブ１６の壁面３２、およびインピンジメント板３０の内壁面３１により形成された空間内に流入する冷却空気量を低減させることができ、全体の冷却空気量（冷却空気の消費量）を低減させることができるとともに、冷却能力を十分に使用されていない温度の低い冷却空気がフィルム冷却孔１４から吹き出されるのを防止することができる。【００４５】
また、本実施形態に係るタービン用翼１０によれば、圧力の低く、かつ、流速の遅い冷却空気が、中央部に位置するキャビティＣ２，Ｃ３の背側に形成されたフィルム冷却孔１４から吹き出され、翼本体１１の背側の外壁面に沿って、持続性の高い冷却空気による膜が均一に形成されることとなる。
これにより、燃焼ガス（高温ガス）から翼本体１１の表面（より詳しくは、翼本体１１の背側の外壁面）への熱伝達をより低減させることができて、フィルム冷却効率を向上させることができる。【００４６】
さらに、本実施形態に係るタービン用翼１０によれば、側部流路４２の前縁側開口端４３から流入した冷却空気を内側シュラウド１２および外側シュラウド１３の後縁（すなわち、後縁流路４６の下流側開口端）に導く流路の屈曲部は、側部流路４２の後縁側開口端４４とヘッダ４５の端部との接合（連通）部、およびヘッダ４５の中央部と後縁流路４６の上流側開口端との接合（連通）部の二つだけとされているので、流路の屈曲部における圧力損失（流路抵抗）を低減させることができ、冷却空気の流速を増加させることができて、内側シュラウド１２および外側シュラウド１３を効率よく冷却することができるとともに、インピンジメント板４０の内壁面と内側シュラウド１２の表面３４との間、およびインピンジメント板４０の内壁面と外側シュラウド１３の表面３５との間に形成された冷却空間内に流入する冷却空気量を低減させることができ、全体の冷却空気量（冷却空気の消費量）をさらに低減させることができる。【００４７】
本実施形態に係るタービン用翼１０を備えたガスタービン１によれば、ガスタービンの冷却に寄与しない不必要な冷却空気が燃焼ガスと混合し燃焼ガス温度を下げないのでガスタービンの性能を向上させることができるとともに、圧縮部より抽気する冷却空気量を減らすと、その減らした圧縮空気全量をガス燃焼用空気として使用することができるので、完全燃焼させる燃料ガス投入量を増やすことができる。すると燃焼ガス総量が増えるので圧縮機部分を大型化することなくタービン出力が向上させることができ、タービンの小型高出力化を実現できるので、結果として性能が向上するという利点を有するものである。また、リブ１６が翼の強度向上に寄与するので翼の薄肉化を図ることができるという利点を有する。さらに簡易な構造で翼背側と腹側の冷却空気量の最適化を各々独立して制御できるという利点を有するものである。【００４８】
本発明に係るタービン用翼の第２の実施形態について、図６を参照しながら説明する。図６は本実施形態に係るタービン用翼の略中央部を、その立設方向軸線に対して略直交する面で切った要部断面図である。
図６に示すように、本実施形態に係るタービン用翼５０は、腹側の中央部に位置する２個のキャビティ（最も前縁側に位置するキャビティＣ１および最も後縁側に位置するキャビティＣ４以外のキャビティ）Ｃ２，Ｃ３の代わりに、１個のキャビティＣ５を備えているという点で上述した実施形態のものと異なる。その他の構成要素については上述した実施形態のものと同じであるので、ここではそれら構成要素についての説明は省略する。【００４９】
本実施形態では、背側の中央部に位置するキャビティＣ２，Ｃ３を前縁側と後縁側に区画する板状のリブ１５と、背側の中央部に位置するキャビティＣ２，Ｃ３と腹側の中央部に位置するキャビティＣ５を腹側と背側に区画する（略二分する）板状のリブ１６とがＴ字交差するように（すなわち、リブ１５とリブ１６の断面視形状が略Ｔ字形状になるように）、リブ１５およびリブ１６が形成されている。【００５０】
本実施形態に係るタービン用翼５０によれば、背側の中央部に位置するキャビティＣ２，Ｃ３がリブ１５によって前縁側と後縁側に区画されることとなるので、背側のバルジング応力に対する強度を向上させることができる。
また、本実施形態に係るタービン用翼５０によれば、腹側の中央部に位置するキャビティを前縁側と後縁側に区画するリブ１５が不要となるので、腹側の中央部に位置するキャビティＣ５の構造を簡略化することができて、製造時の鋳造工程が容易になり、製造コストを低減させることができる。
さらに、本実施形態に係るタービン用翼５０によれば、冷却しにくいリブ１５の数が減少するので、腹側の中央部に位置するキャビティＣ５の冷却効率を向上させることができる。
その他の作用効果は、上述した実施形態のものと同じであるので、ここではその説明を省略する。【００５１】
本発明に係るタービン翼の第３の実施形態について、図７を参照しながら説明する。図７は本実施形態に係るタービン用翼を、その前縁と後縁とを結ぶ中心線に対して略直交する面で切った要部断面図である。
図７に示すように、本実施形態に係るタービン用翼６０は、中央部に位置するキャビティＣ２（Ｃ３）の、リブ１６の壁面３２よりも背側に形成された空間の側に設けられたインピンジメント受板３８の代わりに、仕切板３９が設けられているという点で上述した実施形態のものと異なる。その他の構成要素については上述した実施形態のものと同じであるので、ここではそれら構成要素についての説明は省略する。【００５２】
すなわち、上述した実施形態では、図２または図３に示すように、内側シュラウド１２および外側シュラウド１３のそれぞれに設けられたインピンジメント板３６をインピンジメント冷却した冷却空気が、中央部に位置するキャビティＣ２（Ｃ３）のうち、リブ１６の壁面３２よりも背側に形成された空間内に流入する、いわゆる「両側供給方式」が採用されている。【００５３】
これに対して、本実施形態では、図７に示すように、中央部に位置するキャビティＣ２（Ｃ３）のうち、リブ１６の壁面３２よりも背側に形成された空間であって、前縁側に近い空間は、一方（図７において上方）が外側シュラウド１３と連通し、他方（図７において下方）がインピンジメント板３０の一端部（図７における下側の端部）に固定された仕切板３９により閉塞されている。また、同時に、後縁側に近い空間は、他方が内側シュラウド１２と連通し、一方がインピンジメント板３０の他端部（図７における上側の端部）に固定された仕切板３９（図示せず）により閉塞されている。すなわち、前縁側に近い空間に供給される冷却空気は、外側シュラウド１３のインピンジメント板３６でインピンジメント冷却した冷却空気のみが供給され、内側シュラウド１２側からは供給されない。一方、後縁側に近い空間に供給される冷却空気は、内側シュラウド１２のインピンジメント板３６でインピンジメント冷却した冷却空気のみが供給され、外側シュラウド１３側からは冷却空気が供給されない、いわゆる「片側供給方式」が採用されている。【００５４】
なお、本実施形態における前縁側に近い空間は、他方が内側シュラウド１２と連通し、一方がインピンジメント板３０の他端部に固定された仕切板３９により閉塞されるとともに、後縁側に近い空間は、一方が外側シュラウド１３と連通し、他方がインピンジメント板３０の一端部に固定された仕切板３９（図示せず）により閉塞されたものとすることもできる。【００５５】
本実施形態に係るタービン用翼６０によれば、仕切板３９は、インピンジメント板３０に密着するようにして固定されており、仕切板３９とインピンジメント板３０との接合部におけるシール性が確保されることとなるので、当該接合部からの冷却空気の漏れを確実に防止することができる。
なお、上述した実施形態では、インピンジメント板３０の一端部が、インピンジメント受板３８に差し込まれる構造とされているため、インピンジメント板３０の一端部とインピンジメント受板３８の溝３８ａとの間から冷却空気が若干漏れてしまうことがある。
その他の作用効果は、上述した実施形態のものと同じであるので、ここではその説明を省略する。【００５６】
なお、本発明は第一段静翼のみに適用され得るものではなく、その他の段の静翼、あるいは動翼にも適用可能である。【００５７】
また、上述した実施形態では、中央部に位置するキャビティＣ２，Ｃ３内の腹側および背側にそれぞれインピンジメント板３０を備え、これらキャビティＣ２，Ｃ３内の空間を、中心線に沿って腹側と背側とに仕切るリブ１６を備えるとともに、リブ１６の背側に位置する空間の上流側にインピンジメント板３６を備えた一具体例を説明したが、本発明はこれに限定されるものではない。したがって、例えば、中央部に位置するキャビティＣ２，Ｃ３内の背側のみにインピンジメント板３０を備えた構成（すなわち、リブ１６、腹側のインピンジメント板３０、および上流側のインピンジメント板３６を有しない構成）としてもよいし、リブ１６、および中央部に位置するキャビティＣ２，Ｃ３内の背側に配置されたインピンジメント板３０のみを備えた構成（すなわち、腹側のインピンジメント板３０、および上流側のインピンジメント板３６を有しない構成）としてもよいし、リブ１６、中央部に位置するキャビティＣ２，Ｃ３内の背側に配置されたインピンジメント板３０、インピンジメント板３６のみを備えた構成（すなわち、腹側のインピンジメント板３０を有しない構成）としてもよいし、各段の静翼間においては背側と腹側のインピンジメント板の開口面積の大小で流量を微調整する構成を付加してもよい。【００５８】
さらに、本発明は中央部に位置するキャビティ（最も前縁側に位置するキャビティＣ１および最も後縁側に位置するキャビティＣ４以外のキャビティ）Ｃ２，Ｃ３内のみに適用され得るものではなく、最も前縁側に位置するキャビティＣ１および／または最も後縁側に位置するキャビティＣ４にも適用可能である。
【図１】
2009017015.tif 000003
【図２】
2009017015.tif 000004
【図３】
2009017015.tif 000005
【図４】
2009017015.tif 000006
【図５】
2009017015.tif 000007
【図６】
2009017015.tif 000008
【図７】
2009017015.tif 000009
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
前縁と後縁とを結ぶ中心線に沿って翼腹側と翼背側とに仕切る板状のリブが、前縁と後縁の間に設けられ、背側と腹側のキャビティが連通しない少なくとも２以上のキャビティが設けられたタービン用翼において、
翼背側のキャビティに流出入する冷却空気の圧力調整部材を有しており、翼腹側に比べて翼背側から流出する冷却空気量が少ないことを特徴とするタービン用翼。
【請求項２】
前記圧力調整部材が、キャビティに流入する冷却空気の上流に位置するインピンジメント板であることを特徴とする請求項１記載のタービン用翼。
【請求項３】
前記圧力調整部材が、キャビティより流出する冷却空気の下流に位置するインピンジメント板であることを特徴とする請求項１記載のタービン用翼。
【請求項４】
前記圧力調整部材が、キャビティより流出する冷却空気の上流と下流に位置する２枚のインピンジメント板であることを特徴とする請求項１記載のタービン用翼。
【請求項５】
前縁と後縁とを結ぶ中心線に沿って翼腹側と翼背側とに仕切る板状のリブが、前縁と後縁の間に設けられ、背側と腹側のキャビティが連通しない少なくとも２以上のキャビティが設けられたタービン用翼において、
翼腹側のキャビティに供給され、翼腹側の翼本体のフィルム冷却孔から流出する冷却空気の通路と、
翼背側のキャビティに供給され、翼背側の翼本体のフィルム冷却孔より流出する冷却空気の通路には、それぞれ圧力調整部材が備えられ、
翼腹側の冷却空気の通路に設けられた圧力調整部材は、翼背側の冷却空気の通路の通路に設けられる圧力調整部材より数が少ないことを特徴とするタービン用翼。
【請求項６】
前記翼腹側の翼本体のフィルム冷却孔から流出する冷却空気の通路に設けられる前記圧力調整部材は、前記翼腹側のキャビティより流出する冷却空気の下流に設けられたインピンジメント板であり、
前記翼背側の翼本体のフィルム冷却孔から流出する冷却空気の流路に設けられる前記圧力調整部材は、前記翼背側のキャビティに流入する冷却空気の上流に設けられたインピンジメント板と、前記翼背側のキャビティより流出する冷却空気の下流に設けられたインピンジメント板である、請求項５記載のタービン用翼。
【請求項７】
請求項１から６のいずれか一項に記載のタービン用翼を備えてなることを特徴とするガスタービン。
【請求項８】
各段のインピンジメント孔の径が異なることを特徴とする請求項７記載のガスタービン。
【手続補正２】
【補正対象書類名】明細書
【補正対象項目名】全文
【補正方法】変更
【補正の内容】
【発明の詳細な説明】
【技術分野】
【０００１】
本発明は、ガスタービンに関し、より詳しくは、ガスタービンのタービン用翼（動翼・静翼）に関するものである。
【背景技術】
【０００２】
ガスタービンのタービン部におけるタービン用翼（静翼）としては、例えば、特許文献１に開示されたものが知られている。
【特許文献１】特開２００１−２５４６０５号公報  また、ガスタービン用翼において、翼の腹側のフィルム冷却専用の流体通路をもつことも特許文献２に開示されている。
【特許文献２】特公昭６２−２４６０６  さらに、ガスタービンの翼面における熱負荷に応じた詳細な冷却構造とすることも特許文献３に開示されたものも知られている。
【特許文献３】特開２００２−２４２６０７
【発明の開示】
【０００３】
しかしながら、上記特許文献１に開示されたタービン用翼では、ガスタービン用翼の運転時の環境が、翼本体の背側（凸部側）表面の雰囲気圧力は翼腹側（凹部側）表面の圧力に比べ低いためインサート内に導入された冷却空気は、背側フィルム冷却孔を通して圧力の低い背側に多く流れる。このため翼腹側冷却のための冷却空気の最低必要流量を確保するには投入する冷却空気流量を増やす必要がある。すると翼本体の背側に必要以上の冷却空気が流れ無駄な冷却空気が燃焼ガスと混ざりタービンを回転させるガスの温度を下げるため、タービン効率を低下させるという問題があった。
また、翼本体の背側内部のインピンジメント板の孔径またはフィルム冷却孔の孔径を小さくすれば無駄な空気が少なくなるとも考えられるが、加工が難しくなる問題があり、ごみによる孔詰まりの問題もあった。さらに、背側のインピンジメント板の孔径は腹側と同じで孔数を少なくすることも考えられるが、インピンジメント板の孔の分布がまばらになり、均一冷却が難しくなるという問題があった。
また、特許文献２に開示されているような構造では、タービン翼の肉薄化には対応が不可能であり、かえって冷却効果を下げていた。
さらに、特許文献３に開示されているような構造では、翼の構造が複雑になりタービン価格の上昇の原因となっていた。
【０００４】
本発明は、上記の事情に鑑みてなされたもので、翼本体の背側（凸部側）に流れる無駄な冷却空気をなくし、使用する冷却空気（冷却媒体）量を低減させることができ、さらに翼の肉薄化にも効果的に対応でき、経済的にも効果を有する特に1500℃以上の高温燃焼タービンにも適用可能なタービン用翼を提供することを目的とする。
【０００５】
本発明は、上記課題を解決するため、以下の手段を採用した。
本発明に係るタービン用翼は、複数個のフィルム冷却孔が設けられ、かつ、前縁と後縁とを結ぶ中心線に沿って翼腹側と背側に仕切る板状のリブが前縁と後縁との間に設けられ、背側と腹側のキャビティが連通しない少なくとも２つ以上のキャビティが設けられた翼本体と、前記キャビティ内に、自身の外周面と前記翼本体の内周面との間に冷却空間を形成するように配置され、かつ、圧力調整部材としての機能を有する複数個のインピンジメント冷却孔が設けられた第１のインピンジメント板および／またはシュラウド内部の第２のインピンジメント板とにより、翼背側のキャビティに流出入する冷却空気圧力を翼腹側の冷却空気圧力より低くする手法を採用し、翼本体の背側（凸部側）に流れる無駄な冷却空気を少なくし、全体として使用する冷却空気（冷却媒体）量を低減させ、低減させた空気量を更なる出力増加を目的とする。
【０００６】
本発明に係るタービン用翼によれば、圧力調整部材としての機能を有する第１および第２のインピンジメント板により、キャビティ内の空間を翼本体の腹側（凹部側）から背側（凸部側）に流れようとする冷却空気の流路抵抗が増え、背側に流れる冷却空気（冷却媒体）が少なくなり、使用する冷却空気量が低減することとなる。
また、本発明に係るタービン用翼によれば、圧力の低く、かつ、流速の遅い冷却空気が、例えば、中央部に位置するキャビティの背側に形成されたフィルム冷却孔から吹き出され、翼本体の背側の外壁面に沿って、持続性の高い冷却空気による膜が均一に形成されることとなる。
これにより、燃焼ガス（高温ガス）から翼本体の表面（より詳しくは、翼本体の背側の外壁面）への熱伝達がより低減され、フィルム冷却効率が向上することとなる。
【０００７】
上記タービン用翼において、前記キャビティ内の空間を、前記中心線に沿って腹側と背側とに仕切る板状の第２のリブが設けられており、また連通させていないので、運転中の腹側のキャビティ内圧力変動が背側のキャビティ内圧力に影響を与えないので効果は大きい。さらに第２のリブは、翼の外部の燃焼ガス側と内部のキャビティ側にかかる圧力差を小さくすることができ、翼の軽量化および冷却効果向上を目的とした薄肉化による強度低下を補うことができるという効果を持っている。
【０００８】
このようなタービン用翼によれば、キャビティ内の空間を翼本体の腹側キャビティから背側のキャビティに流れようとする冷却空気はなく、翼背側に流れる冷却空気が最適量となり、結果としてタービンの運転に使用する冷却空気量が低減することとなる。
【０００９】
上記タービン用翼において、複数個のインピンジメント冷却孔を有するとともに、前記第２のリブの背側に位置する空間の上流側に配置された第２のインピンジメント板とを備え、前記第２のインピンジメント板に形成されたインピンジメント冷却孔を通過した冷却媒体が、前記第２のリブの背側に位置する空間内に導入されるように構成されているとさらに好適である。
【００１０】
このようなタービン用翼によれば、第２のインピンジメント板に向かって供給された（吹き出された）冷却空気は、第２のインピンジメント板をインピンジメント冷却した後、第２のインピンジメント板に形成されたインピンジメント冷却孔を通過して、例えば、図２および図３に示すような、第２のインピンジメント板の内壁面と内側シュラウドの表面との間、および第２のインピンジメント板の内壁面と外側シュラウドの表面との間に形成された冷却空間内を通り、中央部に位置するキャビティの背側で、かつ、第１のリブの壁面、第２のリブの壁面、および第１のインピンジメント板の内壁面により形成された空間内に流入するようになっている。そして、キャビティの背側で、かつ、第１のリブの壁面、第２のリブの壁面、および第１のインピンジメント板の内壁面により形成された空間内に流入した冷却空気は、キャビティの背側に設けられて、翼本体の背側の内壁面に向かって開口するインピンジメント冷却孔から第１のインピンジメント板の外壁面、第１のリブの壁面、および翼本体の背側の内壁面により形成された冷却空間内に吹き出して翼本体の背側の内壁面をインピンジメント冷却した後、フィルム冷却孔から吹き出されるようになっている。
すなわち、第２のインピンジメント板をインピンジメント冷却した冷却空気は、翼本体の背側の内壁面をインピンジメント冷却するとともに、翼腹側の冷却に影響を及ぼすことなく翼本体の背側の外壁面（外周面）をフィルム冷却するのに利用されることとなる。
これにより、例えば、中央部に位置するキャビティの背側で、かつ、第１のリブの壁面、第２のリブの壁面、および第１のインピンジメント板の内壁面により形成された空間内に流入する冷却空気量を低減させることができ、全体の冷却空気量（冷却空気の消費量）を低減させることができるとともに、翼の冷却に寄与しない温度の低い冷却空気がフィルム冷却孔から吹き出されるのを防止することができる。
【００１１】
また、本発明の別の態様に係るタービン用翼は、複数個のフィルム冷却孔が設けられ、かつ、立設方向軸線に対して略直交する断面における前縁と後縁とを結ぶ中心線に対して略直交して設けられた少なくとも１つの板状の第１のリブによって、内部に少なくとも２つのキャビティが形成された翼本体と、前記キャビティ内に、自身の外周面と前記翼本体の内周面との間に冷却空間を形成するように配置され、かつ、複数個のインピンジメント冷却孔が設けられた第１のインピンジメント板とを備えている。
【００１２】
本発明に係るタービン用翼によれば、第１のインピンジメント板により、キャビティ内の空間を翼本体の腹側（凹部側）から背側（凸部側）に流れようとする冷却空気の流路抵抗が増え、背側に流れる冷却空気（冷却媒体）が少なくなり、使用する冷却空気量が低減することとなる。
また、本発明に係るタービン用翼によれば、圧力の低く、かつ、流速の遅い冷却空気が、例えば、中央部に位置するキャビティの背側に形成されたフィルム冷却孔から吹き出され、翼本体の背側の外壁面に沿って、持続性の高い冷却空気による膜が均一に形成されることとなる。
これにより、燃焼ガス（高温ガス）から翼本体の表面（より詳しくは、翼本体の背側の外壁面）への熱伝達がより低減され、フィルム効率が向上することとなる。
【００１３】
上記タービン用翼において、前記キャビティ内の空間を、前記中心線に沿って腹側と背側とに仕切る板状の第２のリブが設けられているとさらに好適である。
【００１４】
このようなタービン用翼によれば、キャビティ内の空間を翼本体の腹側から背側に流れようとする冷却空気の流路抵抗がさらに増え、背側に流れる冷却空気がさらに少なくなり、使用する冷却空気量がさらに低減することとなる。
【００１５】
上記タービン用翼において、複数個のインピンジメント冷却孔を有するとともに、前記第２のリブの背側に位置する空間の上流側に配置された第２のインピンジメント板とを備え、前記第２のインピンジメント板に形成されたインピンジメント冷却孔を通過した冷却媒体が、前記第２のリブの背側に位置する空間内に導入されるように構成されているとさらに好適である。
【００１６】
このようなタービン用翼によれば、第２のインピンジメント板に向かって供給された（吹き出された）冷却空気は、第２のインピンジメント板をインピンジメント冷却した後、第２のインピンジメント板に形成されたインピンジメント冷却孔を通過して、例えば、図２および図３に示すような、第２のインピンジメント板の内壁面と内側シュラウドの表面との間、および第２のインピンジメント板の内壁面と外側シュラウドの表面との間に形成された冷却空間内を通り、中央部に位置するキャビティの背側で、かつ、第１のリブの壁面、第２のリブの壁面、および第１のインピンジメント板の内壁面により形成された空間内に流入するようになっている。そして、キャビティの背側で、かつ、第１のリブの壁面、第２のリブの壁面、および第１のインピンジメント板の内壁面により形成された空間内に流入した冷却空気は、キャビティの背側に設けられて、翼本体の背側の内壁面に向かって開口するインピンジメント冷却孔から第１のインピンジメント板の外壁面、第１のリブの壁面、および翼本体の背側の内壁面により形成された冷却空間内に吹き出して翼本体の背側の内壁面をインピンジメント冷却した後、フィルム冷却孔から吹き出されるようになっている。
すなわち、第２のインピンジメント板をインピンジメント冷却した冷却空気は、翼本体の背側の内壁面をインピンジメント冷却するとともに、翼本体の背側の外壁面（外周面）をフィルム冷却するのに利用されることとなる。
これにより、例えば、中央部に位置するキャビティの背側で、かつ、第１のリブの壁面、第２のリブの壁面、および第１のインピンジメント板の内壁面により形成された空間内に流入する冷却空気量を低減させることができ、全体の冷却空気量（冷却空気の消費量）を低減させることができるとともに、温度の低い冷却空気がフィルム冷却孔から吹き出されるのを防止することができる。
【００１７】
本発明に係るタービン用翼は、前縁と後縁とを結ぶ中心線に沿って腹側と背側とに仕切る板状のリブが、前縁と後縁の間に設けられ、背側と腹側のキャビティが連通しない少なくとも２以上のキャビティが設けられたタービン用翼であって、背側のキャビティに供給される冷却空気の通路は、冷却空気の流れ方向の上流側に形成され、内側シュラウド及び外側シュラウドの表面に設けられた第２のインピンジメント板と、冷却空気の流れ方向に対して背側キャビティの下流側に形成され、背側の翼本体の内壁面に近接する第１のインピンジメント板とからなる圧力調整部材を備える。
腹側のキャビティに供給される冷却空気の通路は、圧力調整部材として背側の翼本体の内壁面に近接する第１のインピンジメント板を備えるが、内側シュラウド及び外側シュラウドに設けた第２のインピンンジメント板を介さずに、内側シュラウド及び外側シュラウドから直接腹側のキャビティに冷却空気が供給される構成を備えることが望ましい。
【００１８】
このようなタービン翼によれば、腹側のキャビティに供給される冷却空気の通路の圧力調整部材は、第１のインピンジメント板のみから構成されているのに対し、背側のキャビティに供給される冷却空気の通路の圧力調整部材は、第１のインピンジメント板及び、第２のインピンジメント板で構成されているため、腹側のキャビティに供給される冷却空気の通路は、背側のキャビティに供給される冷却空気の通路に比べ、圧力調整部材の数が少ない。
背側のキャビティに供給される冷却空気の通路は、第１のインピンジメント板及び第２のインピンジメント板により減圧されるので、背側のキャビティの圧力は腹側のキャビティの圧力より低圧となる。この結果、背側のキャビティに供給され、背側の翼本体のフィルム冷却孔から排出される冷却空気量が低減される。
【００１９】
本発明に係るガスタービンは、全体の冷却空気量を低減させることができるとともに、温度の低い冷却空気が必要以上にフィルム冷却孔から吹き出されるのを防止することができるタービン用翼を備えている。
【００２０】
本発明に係るガスタービンによれば、全体の冷却空気量が低減されることとなるので、タービン前段の圧縮機からの抽気量が少なくなり燃焼用空気を燃焼器に、より多く供給できるので、ガスタービンの燃焼ガス量を増やすことができ、性能（出力）を向上させることができるとともに、フィルム冷却孔からの温度の低い冷却空気の不必要な吹き出しが防止されることとなるので、ガスタービンの熱効率を向上させることができる。
【００２１】
本発明によれば、翼本体の背側（凸部側）に流れる無駄な冷却空気を少なくし、使用する冷却空気（冷却媒体）量を低減させることができるという効果を奏する。
【図面の簡単な説明】
【００２２】
【図１】本発明に係るタービン用翼を具備したガスタービンを示す図であって、車室上半部を取り外した状態を示す概略斜視図である。
【図２】本発明の第１の実施形態に係るタービン用翼を、その前縁と後縁とを結ぶ中心線に対して略直交する面で切った要部斜視図である。
【図３】本発明の第１の実施形態に係るタービン用翼を、その前縁と後縁とを結ぶ中心線に対して略直交する面で切った要部断面図である。
【図４】本発明の第１の実施形態に係るタービン用翼の略中央部を、その立設方向軸線に対して略直交する面で切った要部断面図である。
【図５】本発明の第１の実施形態に係るタービン用翼の外側シュラウドを、外側から見た斜視図である。
【図６】本発明の第２の実施形態に係るタービン用翼の略中央部を、その立設方向軸線に対して略直交する面で切った要部断面図である。
【図７】本発明の第３の実施形態に係るタービン用翼を、その前縁と後縁とを結ぶ中心線に対して略直交する面で切った要部断面図である。
【符号の説明】
【００２３】
１    ガスタービン
１０    タービン用翼
１１    翼本体
１４    フィルム冷却孔
１５    リブ（第１のリブ）
１６    リブ（第２のリブ）
２４    内壁面（内周面）
３０    インピンジメント板（第１のインピンジメント板）（圧力調整部材）
３３    外壁面（外周面）
３６    インピンジメント板（第２のインピンジメント板）（圧力調整部材）
５０    タービン用翼
６０    タービン用翼
Ｃ１    キャビティ
Ｃ２    キャビティ
Ｃ３    キャビティ
Ｃ４    キャビティ
Ｃ５    キャビティ
Ｌ．Ｅ．前縁
Ｔ．Ｅ．後縁
【発明を実施するための最良の形態】
【００２４】
以下、本発明に係るタービン用翼の第１の実施形態について、図１から図５を参照しながら説明する。
図１は本発明に係るタービン用翼を具備したガスタービンを示す図であって、車室上半部を取り外した状態を示す概略斜視図、図２は本実施形態に係るタービン用翼を、その前縁と後縁とを結ぶ中心線に対して略直交する面で切った要部斜視図、図３は本実施形態に係るタービン用翼を、その前縁と後縁とを結ぶ中心線に対して略直交する面で切った要部断面図、図４は本実施形態に係るタービン用翼の略中央部を、その立設方向軸線に対して略直交する面で切った要部断面図、図５は本実施形態に係るタービン用翼の外側シュラウドを、外側（外周側）から見た斜視図である。
【００２５】
図１に示すように、ガスタービン１は、燃焼用空気を圧縮する圧縮部２と、この圧縮部２から送られてきた高圧空気中に燃料を噴射して燃焼させ、高温燃焼ガスを発生させる燃焼部３と、この燃焼部３の下流側に位置し、燃焼部３を出た燃焼ガスにより駆動されるタービン部４とを主たる要素とするものである。
【００２６】
本実施形態に係るタービン用翼１０は、例えば、タービン部４における第一段静翼に適用され得るものであり、図２および図３に示すように、翼本体１１と、内側シュラウド１２と、外側シュラウド１３とを備えている。
図４に示すように、翼本体１１には、複数個のフィルム冷却孔１４と、翼本体１１の立設方向軸線に対して略直交する断面における前縁Ｌ．Ｅ．と後縁Ｔ．Ｅ．とを結ぶ中心線（図示せず）に対して略直交して設けられ、翼本体１１の内部を複数個（本実施形態では４個）のキャビティＣ１，Ｃ２，Ｃ３，Ｃ４に区画する板状のリブ（第１のリブ）１５と、中央部に位置するキャビティ（最も前縁側に位置するキャビティＣ１および最も後縁側に位置するキャビティＣ４以外のキャビティ）Ｃ２，Ｃ３を腹側と背側に区画する（略二分する）板状のリブ（第２のリブ）１６と、最も後縁側に位置するキャビティＣ４内の冷却空気（冷却媒体）を翼本体１１の外部に導くとともに複数のピンフィン（図示せず）を有する空気孔１７とが設けられている。
なお、板状のリブ１６は、翼内部で冷却用空気が腹側より背側に移動することを阻止するので、翼背側のキャビティ内圧力と翼腹側キャビティ内圧力を異ならすことができる効果を有している。
【００２７】
また、最も前縁側に位置するキャビティＣ１内には、インサート１８およびインピンジメント板１９が収められて（収容されて）おり、最も後縁側に位置するキャビティＣ４内には、インサート２０が収められて（収容されて）いる。
インサート１８，２０はそれぞれ、複数個のインピンジメント冷却孔（図示せず）が設けられた中空状のものであり、インピンジメント板１９は、複数個のインピンジメント冷却孔（図示せず）が設けられた板状のものである。
【００２８】
インサート１８は、キャビティＣ１内の腹側に配置され、インピンジメント板１９は、その内壁面（内周面）２１がインサート１８の背側に位置する外壁面（外周面）２２と対向し、かつ、外壁面（外周面）２３が翼本体１１の背側に位置する内壁面２４と対向するように配置されている。
そして、インサート１８の外壁面２２と翼本体１１の腹側に位置する内壁面２４との間、インサート１８の外壁面２２とリブ１５の壁面２５との間、インサート１８の外壁面２２とインピンジメント板１９の内壁面２１との間、およびインピンジメント板１９の外壁面２３と翼本体１１の背側に位置する内壁面２４とリブ１５の壁面２５との間にはそれぞれ、冷却空間、すなわち、冷却空気の通路が形成されている。
【００２９】
インサート２０はキャビティＣ４内に配置されており、インサート２０の外壁面（外周面）２６と翼本体１１の内壁面２４との間、およびインサート２０の外壁面２６とリブ１５の壁面２５との間にはそれぞれ、冷却空間、すなわち、冷却空気の通路が形成されている。
【００３０】
そして、冷却空気が図示していない手段によってインサート１８，２０の内部に導入され、複数個のインピンジメント冷却孔を通って冷却空間内に吹き出して、翼本体１１の内壁面２４がインピンジメント冷却されるようになっている。
また、翼本体１１の内壁面２４をインピンジメント冷却した冷却空気は、翼本体１１の複数個のフィルム冷却孔１４から吹き出して、翼本体１１のまわりに冷却空気によるフィルム層を形成し、翼本体１１がフィルム冷却されるようになっている。
さらに、翼本体１１の後縁からは、空気孔１７を通って冷却空気が噴出され、この際にピンフィンを冷却して翼本体１１の後縁近傍が冷却されるようになっている。
【００３１】
さらにまた、インサート１８の内部に導入され、翼本体１１の腹側の内壁面２４に向かって開口するインピンジメント冷却孔から冷却空間内に吹き出して翼本体１１の腹側の内壁面２４をインピンジメント冷却した冷却空気の一部が、インサート１８の外壁面２２と翼本体１１の内壁面２４との間に形成された冷却空間、およびインサート１８の外壁面２２とリブ１５の壁面２５との間に形成された冷却空間を通ってインサート１８の外壁面２２とインピンジメント板１９の内壁面２１との間に形成された冷却空間に流れ込むようになっている。そして、インサート１８の外壁面２２とインピンジメント板１９の内壁面２１との間に形成された冷却空間に流れ込んだ冷却空気は、翼本体１１の背側の内壁面２４に向かって開口するインピンジメント冷却孔から冷却空間内に吹き出して翼本体１１の背側の内壁面２４をインピンジメント冷却した後、フィルム冷却孔１４から吹き出されるようになっている。
【００３２】
一方、中央部に位置するキャビティＣ２，Ｃ３にはそれぞれ、インピンジメント板３０が収められて（収容されて）いる。
インピンジメント板３０はそれぞれ、複数個のインピンジメント冷却孔（図示せず）が設けられた板状のものであり、その内壁面（内周面）３１がリブ１６の壁面３２と対向し、かつ、その外壁面（外周面）３３が翼本体１１の内壁面２４と対向するように配置されている。
そして、インピンジメント板３０の外壁面３３と翼本体１１の内壁面２４とリブ１５の壁面２５との間にはそれぞれ、冷却空間、すなわち、冷却空気の通路が形成されている。
【００３３】
図２および図３に示すように、内側シュラウド１２は翼本体１１の内側（内周側）に設けられており、外側シュラウド１３は翼本体１１の外側（外周側）に設けられている。
内側シュラウド１２の表面（図２および図３において下側の面）３４および外側シュラウド１３の表面（図２および図３において上側の面）３５にはそれぞれ、インピンジメント板３６が設けられている。
インピンジメント板３６はそれぞれ、複数個のインピンジメント冷却孔（図示せず）が設けられた板状のものであり、中央部に位置するキャビティＣ２，Ｃ３の、リブ１６の壁面３２よりも背側に形成された空間（すなわち、リブ１５の壁面２５とリブ１６の壁面３２と翼本体１１の内壁面２４とで囲まれた空間）の上方または下方を覆うように配置されている。
【００３４】
そして、インピンジメント板３６の内壁面３７と内側シュラウド１２の表面３４との間、およびインピンジメント板３６の内壁面３７と外側シュラウド１３の表面３５との間にはそれぞれ、冷却空間、すなわち、インピンジメント板３６に形成されたインピンジメント冷却孔を通過した冷却空気を、中央部に位置するキャビティＣ２，Ｃ３の、リブ１６の壁面３２よりも背側に形成された空間内に導く冷却空気の通路が形成されている。
【００３５】
なお、中央部に位置するキャビティＣ２，Ｃ３の、リブ１６の壁面３２よりも背側に形成された空間内には、インピンジメント板３６に形成されたインピンジメント冷却孔を通過した冷却空気のみが供給され得るようになっている。
また、インピンジメント板３６をインピンジメント冷却した冷却空気は、中央部に位置するキャビティＣ２，Ｃ３の、リブ１６の壁面３２よりも背側に形成された空間内に流入し、翼本体１１の背側の内壁面２４に向かって開口するインピンジメント冷却孔から冷却空間内に吹き出して翼本体１１の背側の内壁面２４をインピンジメント冷却した後、フィルム冷却孔１４から吹き出されるようになっている。
【００３６】
なお、図３に示すように、中央部に位置するキャビティＣ２（Ｃ３）の、リブ１６の壁面３２よりも背側に形成された空間（すなわち、リブ１６の壁面３２と、インピンジメント板３０の内壁面３１との間に形成された空間）の内側シュラウド１２側の入口部分には、翼本体１１の背側および腹側の内壁面２４に沿って、インピンジメント受板３８がそれぞれ固定されている。また、インピンジメント板３０の翼立設方向の熱伸び差を吸収しながら、冷却空気をシールするため、インピンジメント板３０の一端部（図３における下側の端部）は、インピンジメント受板３８に設けられた溝３８ａ内に差し込まれる構造とされ、インピンジメント板３０の一端部が溝３８ａ内をスライドすることにより、インピンジメント板３０が翼立設方向に伸縮できるようになっている。
【００３７】
さらに、図５に示すように、内側シュラウド１２の表面３４（図２および図３参照）および外側シュラウド１３の表面３５（図２および図３参照）にはそれぞれ、インピンジメント板４０（３６）が設けられている。
インピンジメント板４０（３６）はそれぞれ、複数個のインピンジメント冷却孔４１が設けられた板状のものであり、翼本体１１の腹側上流側および前縁上流側の上方または下方を覆うように配置されている。
【００３８】
そして、インピンジメント板４０（３６）の内壁面（図示せず）と内側シュラウド１２の表面３４との間、およびインピンジメント板４０（３６）の内壁面（図示せず）と外側シュラウド１３の表面３５との間にはそれぞれ、冷却空間、すなわち、インピンジメント板４０（３６）に形成されたインピンジメント冷却孔４１を通過した冷却空気を、側部流路４２の前縁側開口端４３に導く冷却空気の通路が形成されている。
側部流路４２は、内側シュラウド１２および外側シュラウド１３の前縁側から後縁側にかけて、その両側部に形成された冷却空気の通路であり、その後縁側開口端４４はそれぞれ、内側シュラウド１２および外側シュラウド１３の幅方向にわたって、その後縁部に形成されたヘッダ４５の対応する端部に接続されている。また、側部流路４２の内壁面には、図示しない複数の板状の突起（タービュレータ）が設けられている。
【００３９】
ヘッダ４５は、側部流路４２の前縁側開口端４３から側部流路４２内に流入した冷却空気を、内側シュラウド１２および外側シュラウド１３の後縁部に形成された後縁流路４６導く冷却空気の通路である。
そして、インピンジメント板４０（３６）に形成されたインピンジメント冷却孔４１を通過した冷却空気は、側部流路４２の前縁側開口端４３から側部流路４２内に流入し、側部流路４２、ヘッダ４５、および後縁流路４６を通過した後、内側シュラウド１２および外側シュラウド１３の後縁から放出されるようになっている。このとき、内側シュラウド１２および外側シュラウド１３の前縁部、両側部、および後縁部は、冷却空気により冷却されるようになっている。
【００４０】
このように構成されたタービン用翼１０において、インピンジメント板３６に向かって供給された（吹き出された）冷却空気は、インピンジメント板３６をインピンジメント冷却した後、インピンジメント板３６に形成されたインピンジメント冷却孔を通過して、インピンジメント板３６の内壁面３７と内側シュラウド１２の表面３４との間、およびインピンジメント板３６の内壁面３７と外側シュラウド１３の表面３５との間に形成された冷却空間内を通り、中央部に位置するキャビティＣ２，Ｃ３の背側で、かつ、リブ１５の壁面２５、リブ１６の壁面３２、およびインピンジメント板３０の内壁面３１により形成された空間内に流入するようになっている。そして、キャビティＣ２，Ｃ３の背側で、かつ、リブ１５の壁面２５、リブ１６の壁面３２、およびインピンジメント板３０の内壁面３１により形成された空間内に流入した冷却空気は、キャビティＣ２，Ｃ３の背側に設けられて、翼本体１１の背側の内壁面２４に向かって開口するインピンジメント冷却孔からインピンジメント板３０の外壁面３３、リブ１５の壁面２５、および翼本体１１の背側の内壁面２４により形成された冷却空間内に吹き出して翼本体１１の背側の内壁面２４をインピンジメント冷却した後、フィルム冷却孔１４から吹き出されるようになっている。
【００４１】
一方、中央部に位置するキャビティＣ２，Ｃ３の腹側で、かつ、リブ１５の壁面２５、リブ１６の壁面３２、およびインピンジメント板３０の内壁面３１により形成された空間内には、図示していない手段によって内側シュラウド１２及び外側シュラウド１３に設けた第２のインピンジメント板３６を介さずに、キャビティＣ２、Ｃ３の腹側に冷却空気が直接導入（供給）されるようになっている。そして、キャビティＣ２，Ｃ３の腹側で、かつ、リブ１５の壁面２５、リブ１６の壁面３２、およびインピンジメント板３０の内壁面３１により形成された空間内に流入した冷却空気は、キャビティＣ２，Ｃ３の腹側に設けられて、翼本体１１の腹側の内壁面２４に向かって開口するインピンジメント冷却孔からインピンジメント板３０の外壁面３３、リブ１５の壁面２５、および翼本体１１の背側の内壁面２４により形成された冷却空間内に吹き出して翼本体１１の腹側の内壁面２４をインピンジメント冷却した後、フィルム冷却孔１４から吹き出されるようになっている。
【００４２】
すなわち、キャビティＣ２、Ｃ３の腹側に供給され、腹側の翼本体１１のフィルム冷却孔１４から流出する冷却空気の通路は、圧力調整部材として第２のインピンジメント板３６を備えておらず、第１のインピンジメント板３０のみを備えている。
【００４３】
一方、上述のように、キャビティＣ２、Ｃ３の背側に供給され、背側の翼本体１１のフィルム冷却孔１４から流出する冷却空気の通路は、圧力調整部材として第２のインピンジメント板３６と、第１のインピンジメント板３０を備えている。
【００４４】
このようなタービン用翼１０の構成により、キャビティＣ２，Ｃ３の背側に供給される冷却空気は、第１のインピンジメント板３０及び、第２のインピンジメント板３６からなる圧力調整部材を経て翼本体１１の背側のフィルム冷却孔１４から流出する。
一方、キャビティＣ２，Ｃ３の腹側に供給される冷却空気の通路は、キャビティの下流側に設けられ、翼本体１１の内壁面２４に対面する第１のインピンジメント板３０のみを圧力調整部材として備えるにすぎない。その結果、キャビティＣ２，Ｃ３の腹側の圧力は高く、キャビティＣ２，Ｃ３の背側の圧力が低くなり、背側の翼本体１１のフィルム冷却孔１４から流出する冷却空気量が低減し、翼全体１１の冷却空気量の適正化が図られる。
【００４５】
また、図示していない手段によってインサート１８，２０の内部に導入された冷却空気は、複数個のインピンジメント孔を通って冷却空間内に吹き出して、翼本体１１の内壁面２４がインピンジメント冷却されるようになっている。
そして、翼本体１１の内壁面２４をインピンジメント冷却した冷却空気は、翼本体１１の複数個のフィルム冷却孔１４から吹き出して、翼本体１１のまわりに冷却空気によるフィルム層を形成し、翼本体１１がフィルム冷却されるようになっている。
【００４６】
さらに、本実施形態に係るタービン用翼１０では、インサート１８の内部に導入され、翼本体１１の腹側の内壁面２４に向かって開口するインピンジメント冷却孔から冷却空間内に吹き出して翼本体１１の腹側の内壁面２４をインピンジメント冷却した冷却空気の一部が、インサート１８の外壁面２２と翼本体１１の内壁面２４との間に形成された冷却空間、およびインサート１８の外壁面２２とリブ１５の壁面２５との間に形成された冷却空間を通ってインサート１８の外壁面２２とインピンジメント板１９の内壁面２１との間に形成された冷却空間に流れ込むようになっている。そして、インサート１８の外壁面２２とインピンジメント板１９の内壁面２１との間に形成された冷却空間に流れ込んだ冷却空気は、翼本体１１の背側の内壁面２１に向かって開口するインピンジメント孔から冷却空間内に吹き出して翼本体１１の背側の内壁面２４をインピンジメント冷却した後、フィルム冷却孔１４から吹き出されるようになっている。
【００４７】
さらにまた、インサート２０の内部に導入され、翼本体１１の内壁面２４に向かって開口するインピンジメント冷却孔から冷却空間内に吹き出して翼本体１１の内壁面２４をインピンジメント冷却した冷却空気の一部は、インサート２０の外壁面２６と翼本体１１の内壁面２４との間に形成された冷却空間、および空気孔１７を通ってピンフィンを冷却した後、翼本体１１の後縁から吹き出されるようになっている。
【００４８】
さらにまた、本実施形態に係るタービン用翼１０では、インピンジメント板４０（３６）に形成されたインピンジメント冷却孔４１を通過した冷却空気が、側部流路４２の前縁側開口端４３に向かって一様に流れ、側部流路４２の前縁側開口端４３から側部流路４２内に流入した冷却空気は、直線状の流路を有する側部流路４２およびヘッダ４５を通過した後、後縁流路４６を通って内側シュラウド１２および外側シュラウド１３の後縁から放出されるようになっている。
【００４９】
本実施形態に係るタービン用翼１０によれば、インピンジメント板３６をインピンジメント冷却した冷却空気が、翼本体１１の背側の内壁面２４をインピンジメント冷却するとともに、翼本体１１の背側の外壁面（外周面）をフィルム冷却するのに利用されることとなる。
これにより、中央部に位置するキャビティＣ２，Ｃ３の背側で、かつ、リブ１５の壁面２５、リブ１６の壁面３２、およびインピンジメント板３０の内壁面３１により形成された空間内に流入する冷却空気量を低減させることができ、全体の冷却空気量（冷却空気の消費量）を低減させることができるとともに、冷却能力を十分に使用されていない温度の低い冷却空気がフィルム冷却孔１４から吹き出されるのを防止することができる。
【００５０】
また、本実施形態に係るタービン用翼１０によれば、圧力の低く、かつ、流速の遅い冷却空気が、中央部に位置するキャビティＣ２，Ｃ３の背側に形成されたフィルム冷却孔１４から吹き出され、翼本体１１の背側の外壁面に沿って、持続性の高い冷却空気による膜が均一に形成されることとなる。
これにより、燃焼ガス（高温ガス）から翼本体１１の表面（より詳しくは、翼本体１１の背側の外壁面）への熱伝達をより低減させることができて、フィルム冷却効率を向上させることができる。
【００５１】
さらに、本実施形態に係るタービン用翼１０によれば、側部流路４２の前縁側開口端４３から流入した冷却空気を内側シュラウド１２および外側シュラウド１３の後縁（すなわち、後縁流路４６の下流側開口端）に導く流路の屈曲部は、側部流路４２の後縁側開口端４４とヘッダ４５の端部との接合（連通）部、およびヘッダ４５の中央部と後縁流路４６の上流側開口端との接合（連通）部の二つだけとされているので、流路の屈曲部における圧力損失（流路抵抗）を低減させることができ、冷却空気の流速を増加させることができて、内側シュラウド１２および外側シュラウド１３を効率よく冷却することができるとともに、インピンジメント板４０（３６）の内壁面と内側シュラウド１２の表面３４との間、およびインピンジメント板４０（３６）の内壁面と外側シュラウド１３の表面３５との間に形成された冷却空間内に流入する冷却空気量を低減させることができ、全体の冷却空気量（冷却空気の消費量）をさらに低減させることができる。
【００５２】
本実施形態に係るタービン用翼１０を備えたガスタービン１によれば、ガスタービンの冷却に寄与しない不必要な冷却空気が燃焼ガスと混合し燃焼ガス温度を下げないのでガスタービンの性能を向上させることができるとともに、圧縮部より抽気する冷却空気量を減らすと、その減らした圧縮空気全量をガス燃焼用空気として使用することができるので、完全燃焼させる燃料ガス投入量を増やすことができる。すると燃焼ガス総量が増えるので圧縮機部分を大型化することなくタービン出力が向上させることができ、タービンの小型高出力化を実現できるので、結果として性能が向上するという利点を有するものである。また、リブ１６が翼の強度向上に寄与するので翼の薄肉化を図ることができるという利点を有する。さらに簡易な構造で翼背側と腹側の冷却空気量の最適化を各々独立して制御できるという利点を有するものである。
【００５３】
本発明に係るタービン用翼の第２の実施形態について、図６を参照しながら説明する。図６は本実施形態に係るタービン用翼の略中央部を、その立設方向軸線に対して略直交する面で切った要部断面図である。
図６に示すように、本実施形態に係るタービン用翼５０は、腹側の中央部に位置する２個のキャビティ（最も前縁側に位置するキャビティＣ１および最も後縁側に位置するキャビティＣ４以外のキャビティ）Ｃ２，Ｃ３の代わりに、１個のキャビティＣ５を備えているという点で上述した実施形態のものと異なる。その他の構成要素については上述した実施形態のものと同じであるので、ここではそれら構成要素についての説明は省略する。
【００５４】
本実施形態では、背側の中央部に位置するキャビティＣ２，Ｃ３を前縁側と後縁側に区画する板状のリブ１５と、背側の中央部に位置するキャビティＣ２，Ｃ３と腹側の中央部に位置するキャビティＣ５を腹側と背側に区画する（略二分する）板状のリブ１６とがＴ字交差するように（すなわち、リブ１５とリブ１６の断面視形状が略Ｔ字形状になるように）、リブ１５およびリブ１６が形成されている。
【００５５】
本実施形態に係るタービン用翼５０によれば、背側の中央部に位置するキャビティＣ２，Ｃ３がリブ１５によって前縁側と後縁側に区画されることとなるので、背側のバルジング応力に対する強度を向上させることができる。
また、本実施形態に係るタービン用翼５０によれば、腹側の中央部に位置するキャビティを前縁側と後縁側に区画するリブ１５が不要となるので、腹側の中央部に位置するキャビティＣ５の構造を簡略化することができて、製造時の鋳造工程が容易になり、製造コストを低減させることができる。
さらに、本実施形態に係るタービン用翼５０によれば、冷却しにくいリブ１５の数が減少するので、腹側の中央部に位置するキャビティＣ５の冷却効率を向上させることができる。
その他の作用効果は、上述した実施形態のものと同じであるので、ここではその説明を省略する。
【００５６】
本発明に係るタービン翼の第３の実施形態について、図７を参照しながら説明する。図７は本実施形態に係るタービン用翼を、その前縁と後縁とを結ぶ中心線に対して略直交する面で切った要部断面図である。
図７に示すように、本実施形態に係るタービン用翼６０は、中央部に位置するキャビティＣ２（Ｃ３）の、リブ１６の壁面３２よりも背側に形成された空間の側に設けられたインピンジメント受板３８の代わりに、仕切板３９が設けられているという点で上述した実施形態のものと異なる。その他の構成要素については上述した実施形態のものと同じであるので、ここではそれら構成要素についての説明は省略する。
【００５７】
すなわち、上述した実施形態では、図２または図３に示すように、内側シュラウド１２および外側シュラウド１３のそれぞれに設けられたインピンジメント板３６をインピンジメント冷却した冷却空気が、中央部に位置するキャビティＣ２（Ｃ３）のうち、リブ１６の壁面３２よりも背側に形成された空間内に流入する、いわゆる「両側供給方式」が採用されている。
【００５８】
これに対して、本実施形態では、図７に示すように、中央部に位置するキャビティＣ２（Ｃ３）のうち、リブ１６の壁面３２よりも背側に形成された空間であって、前縁側に近い空間は、一方（図７において上方）が外側シュラウド１３と連通し、他方（図７において下方）がインピンジメント板３０の一端部（図７における下側の端部）に固定された仕切板３９により閉塞されている。また、同時に、後縁側に近い空間は、他方が内側シュラウド１２と連通し、一方がインピンジメント板３０の他端部（図７における上側の端部）に固定された仕切板３９（図示せず）により閉塞されている。すなわち、前縁側に近い空間に供給される冷却空気は、外側シュラウド１３のインピンジメント板３６でインピンジメント冷却した冷却空気のみが供給され、内側シュラウド１２側からは供給されない。一方、後縁側に近い空間に供給される冷却空気は、内側シュラウド１２のインピンジメント板３６でインピンジメント冷却した冷却空気のみが供給され、外側シュラウド１３側からは冷却空気が供給されない、いわゆる「片側供給方式」が採用されている。
【００５９】
なお、本実施形態における前縁側に近い空間は、他方が内側シュラウド１２と連通し、一方がインピンジメント板３０の他端部に固定された仕切板３９により閉塞されるとともに、後縁側に近い空間は、一方が外側シュラウド１３と連通し、他方がインピンジメント板３０の一端部に固定された仕切板３９（図示せず）により閉塞されたものとすることもできる。
【００６０】
本実施形態に係るタービン用翼６０によれば、仕切板３９は、インピンジメント板３０に密着するようにして固定されており、仕切板３９とインピンジメント板３０との接合部におけるシール性が確保されることとなるので、当該接合部からの冷却空気の漏れを確実に防止することができる。
なお、上述した実施形態では、インピンジメント板３０の一端部が、インピンジメント受板３８に差し込まれる構造とされているため、インピンジメント板３０の一端部とインピンジメント受板３８の溝３８ａとの間から冷却空気が若干漏れてしまうことがある。
その他の作用効果は、上述した実施形態のものと同じであるので、ここではその説明を省略する。
【００６１】
なお、本発明は第一段静翼のみに適用され得るものではなく、その他の段の静翼、あるいは動翼にも適用可能である。
【００６２】
また、上述した実施形態では、中央部に位置するキャビティＣ２，Ｃ３内の腹側および背側にそれぞれインピンジメント板３０を備え、これらキャビティＣ２，Ｃ３内の空間を、中心線に沿って腹側と背側とに仕切るリブ１６を備えるとともに、リブ１６の背側に位置する空間の上流側にインピンジメント板３６を備えた一具体例を説明したが、本発明はこれに限定されるものではない。したがって、例えば、中央部に位置するキャビティＣ２，Ｃ３内の背側のみにインピンジメント板３０を備えた構成（すなわち、リブ１６、腹側のインピンジメント板３０、および上流側のインピンジメント板３６を有しない構成）としてもよいし、リブ１６、および中央部に位置するキャビティＣ２，Ｃ３内の背側に配置されたインピンジメント板３０のみを備えた構成（すなわち、腹側のインピンジメント板３０、および上流側のインピンジメント板３６を有しない構成）としてもよいし、リブ１６、中央部に位置するキャビティＣ２，Ｃ３内の背側に配置されたインピンジメント板３０、インピンジメント板３６のみを備えた構成（すなわち、腹側のインピンジメント板３０を有しない構成）としてもよいし、各段の静翼間においては背側と腹側のインピンジメント板の開口面積の大小で流量を微調整する構成を付加してもよい。
【００６３】
さらに、本発明は中央部に位置するキャビティ（最も前縁側に位置するキャビティＣ１および最も後縁側に位置するキャビティＣ４以外のキャビティ）Ｃ２，Ｃ３内のみに適用され得るものではなく、最も前縁側に位置するキャビティＣ１および／または最も後縁側に位置するキャビティＣ４にも適用可能である。
【国際調査報告】
2009017015.tif 000010
2009017015.tif 000011
2009017015.tif 000012
2009017015.tif 000013